(57)【特許請求の範囲】
【請求項１】
縦中心線と横中心線とを有し、裏面シートと、その上に配置された吸液性要素とを備え、これらによって前胴周り域および後胴周り域と、それら胴周り域の間に位置する股下域とが形成され、横方向へ延びる両端部および縦方向へ延びる両側部とで画成され、両側部に脚周り用弾性要素が伸縮可能に取り付けられている使い捨て着用物品において、
前記脚周り用弾性要素が、前記前胴周り域の側部から前記股下域の前半部における前記吸液性要素の側部近傍へ延びる脚周り第１弾性要素と、前記後胴周り域の側部から横中心線を超えて前記股下域の前半部へ延びる脚周り第２弾性要素とから構成され、
前記股下域に位置する前記第１弾性要素の内端部が、前記吸液性要素の側部を内方へ超えて前記吸液性要素に重なって位置し、
前記第２弾性要素が後胴周り域から股下域に向かうにつれて縦中心線に次第に接近して前記横方向に交差する方向へ、かつ、前記第１弾性要素と縦方向へ離間して延びるとともに、前記股下域に位置する前記第２弾性要素の内端部が、前記吸液性要素には重ならないことを特徴とする前記物品。
【請求項２】
一対の障壁シートが前記物品の側部に位置している請求項１記載の物品。
【発明の詳細な説明】
【技術分野】
【０００１】
本発明は、排泄物を吸収保持する使い捨て着用物品に関する。
【背景技術】
【０００２】
従来の使い捨て着用物品は、互いに対向する前後胴周り域とこれらの間に延在する股下域とを有し、その両端部に複数条の胴周り用弾性部材が収縮可能に取り付けられ、股下域の両側部に複数条の脚周り用弾性部材が収縮可能に取り付けられている。物品では、前胴周り域の両側部と後胴周り域の両側部とが合掌状に重なり合い、それら胴周り域の両側部が縦方向へ間欠的に並ぶ多数の熱融着線を介して固定されている。したがって、この物品は、胴周り開口と一対の脚周り開口とを有するパンツ型である。その一例の物品が、特許文献１に開示されている。【０００３】
胴周り用弾性部材は、表面シートと裏面シートとの間に位置してそれらシートに接合されている。脚周り用弾性部材は、前胴周り域から股下域の中央に向かって凸となる脚周り第１弾性部材と、後胴周り域から股下域の中央に向かって凸となる脚周り第２弾性部材とから形成されている。第１弾性部材は、股下域の側に位置する前胴周り域の両側部から股下域の両側部に延びる両側部分と、両側部分の間に位置して股下域の中央を横切る中央部分とを有する。第２弾性部材は、股下域の側に位置する後胴周り域の両側部から股下域の両側部に延びる両側部分と、両側部分の間に位置して股下域の中央を横切る中央部分とを有する。第１および第２弾性部材の両側部分は、表面シートと裏面シートとの間に位置してそれらシートに接合されている。第１および第２弾性部材の中央部分は、股下域の両側部で互いに交差し、裏面シートと吸液性要素との間に位置してそれらに接合されている。胴周り用弾性部材と脚周り用弾性部材との接合時にはそれら弾性部材が所定倍率に伸長され、接合後にはそれら弾性部材の伸長が解かれる。
【特許文献１】特開平７−２８９５８６号公報
【発明の開示】
【発明が解決しようとする課題】
【０００４】
前記特許文献１に開示の着用物品では、脚周り第１弾性部材の両側部分が縦中心線に並行しているから、第１弾性部材の両側部分の収縮力が吸液性要素を縦方向へ縮めるように作用することはあっても、第１弾性部材の両側部分の収縮力が吸液性要素を着用者の肌に押し当てるように作用することはなく、第１弾性部材の両側部分の収縮力を利用して前胴周り域と股下域とに延びる吸液性要素を着用者の肌に密着させることはできない。物品の着用中に吸液性要素が着用者の肌に密着せずに肌から離間すると、排泄された尿が吸液性要素に十分に吸収保持されず、尿が漏れてしまう場合がある。また、この物品は、脚周り第１弾性部材と脚周り第２弾性部材との中央部分が股下域に延びる吸液性要素を横切っているから、それら弾性部材の中央部分の収縮力が吸液性要素を横方向へ縮め、それら弾性部材の収縮力によって吸液性要素に不規則な多数の皺が生じる。吸液性要素に皺が生じると、股下域における吸液性要素の液吸収機能が低下し、股下域において排泄物を十分に吸収保持するのに不充分になる。【０００５】
本発明の目的は、上記問題に鑑み、股下域に延びる吸液性要素に不規則な皺ができることはなく、脚周り第１弾性要素の収縮力を利用して吸液性要素を着用者の肌に密着させることができる使い捨て着用物品を提供することにある。
【課題を解決するための手段】
【０００６】
本発明に係る使い捨て着用物品は、縦中心線と横中心線とを有し、裏面シートと、その上に配置された吸液性要素とを備え、これらによって前胴周り域および後胴周り域と、それら胴周り域の間に位置する股下域とが形成され、横方向へ延びる両端部および縦方向へ延びる両側部とで画成され、両側部に脚周り用弾性要素が伸縮可能に取り付けられている。【０００７】
本発明は、さらに、前記脚周り用弾性要素が、前記前胴周り域の側部から前記股下域の前半部における前記吸液性要素の側部近傍へ延びる脚周り第１弾性要素と、前記後胴周り域の側部から横中心線を超えて前記股下域の前半部へ延びる脚周り第２弾性要素とから構成され、前記股下域に位置する前記第１弾性要素の内端部が、前記吸液性要素の側部を内方へ超えて前記吸液性要素に重なって位置し、前記第２弾性要素が後胴周り域から股下域に向かうにつれて縦中心線に次第に接近して前記横方向に交差する方向へ、かつ、前記第１弾性要素と縦方向へ離間して延びるとともに、前記股下域に位置する前記第２弾性要素の内端部が、前記吸液性要素には重ならないことを特徴とする
【０００９】
本発明の実施態様の他の一例は、一対の障壁シートが物品の側部に位置している。
【発明の効果】
【００１０】
本発明に係る使い捨て着用物品によれば、脚周り第１弾性要素が横方向へ延びているので、物品の着用中に横方向へ伸長した第１弾性要素の収縮力が前胴周り域と股下域の前半分とに延びる吸液性要素を着用者の肌に押し当てるように作用し、第１弾性要素の収縮力によって吸液性要素を着用者の肌に密着させることができる。物品は、排泄された尿を吸液性要素に確実に吸収保持させることができ、物品の着用中における尿の漏れを防ぐことができる。この物品は、脚周り第２弾性要素が横中心線と直交する方向へ延び縦中心線に次第に接近しているので、第２弾性要素の収縮力が後胴周り域と股下域の後半分とを物品の端部に向かって引き上げるように作用し、着用位置からの物品のずれ下がりを防ぐことができる。
【図面の簡単な説明】
【００１１】
【図１】一例として示す着用物品の部分破断斜視図。
【図２】前後胴周り域の連結を解除した状態で示す図１の物品の展開平面図。
【図３】図２の３−３線矢視断面図。
【図４】図２の４−４線矢視断面図。
【図５】他の一例として示す着用物品の部分破断斜視図。
【図６】前後胴周り域の連結を解除した状態で示す図５の物品の展開平面図。
【図７】図６の７−７線矢視断面図。
【図８】図６の８−８線矢視断面図。
【符号の説明】
【００１２】
１０          使い捨て着用物品
１１          表面シート
１２          裏面シート
１３          吸液性要素
１４          前胴周り域
１５          股下域
１６          後胴周り域
１７          両端部
１８          両側部
１８ａ〜ｅ    側部
２２          横中心線
２３          縦中心線
２４          前半分
２５          後半分
４１          脚周り用弾性要素
４２          脚周り第１弾性要素
４３          脚周り第２弾性要素
４４          内端部
５０          使い捨て着用物品
５１          障壁シート
【発明を実施するための最良の形態】
【００１３】
添付の図面を参照し、本発明に係る使い捨て着用物品の詳細を説明すると、以下のとおりである。【００１４】
図１〜４を参照すると、本発明の第１実施の形態としての使い捨て着用物品１０が示され、この物品１０は、それぞれ矢印Ｌ及びＭで示す縦及び横方向を有する。物品１０は、肌当接側に位置する透液性表面シート１１と、肌非当接側に位置する不透液性裏面シート１２と、表裏面シート１１，１２の間に介在する吸液性要素１３とから構成されている。物品１０は、互いに対向する前胴周り域１４および後胴周り域１６と、それら胴周り域１４，１６の間に位置する股下域１５と、前後胴周り域１４，１６に横方向へ延びる両端部１７と、前後胴周り域１４，１６間に縦方向へ延びる両側部１８とを有する。吸液性要素１３は、両端部１７と両側部１８とを除いた前後胴周り域１４，１６と股下域１５とに配置されている。前後胴周り域１４，１６の両側部１８ａ，１８ｂが合掌状に重なり合い、それら両側部１８ａ，１８ｂが縦方向へ並ぶ多数の熱融着線１９を介して固定されている。物品１０は、図１、２に示すように、前後胴周り域１４，１６が連結されたパンツ型であり、胴周り開口２０と一対の脚周り開口２１とを有する。【００１５】
表面シート１１には、親水性繊維不織布が使用されている。裏面シート１２には、疎水性繊維不織布が使用されている。吸液性要素１３は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。吸液性要素１３は、その型崩れやポリマーの脱落を防止するため、全体がティッシュペーパー（図示せず）に包被されている。吸液性要素１３は、ティッシュペーパーを介して表裏面シート１１，１２の内面に接合されている。ポリマーには、デンプン系、セルロース系、合成ポリマー系のそれが使用されている。【００１６】
図２には、股下域１５の縦寸法を二等分して横方向へ延びる横中心線２２（一点鎖線）と、物品１０の横寸法（両側部１８間の横寸法）を二等分して縦方向へ延びる縦中心線２３（一点鎖線）とが示してある。股下域１５は、前胴周り域１４と横中心線２２との間に延びる前半分２４、横中心線２２と後胴周り域１６との間に延びる後半分２５に区分されている。股下域１５は、股下域１５の幅が後胴周り域１６から前胴周り域１４に向かって次第に狭くなり、次いで股下域１５の幅が横中心線２２を僅かに超えた域から前胴周り域１４に向かって次第に広くなるように、縦中心線２３に向かって凹状に湾曲している。【００１７】
両端部１７は、吸液性要素１３の端縁３４から縦方向外方へ延びる表裏面シート１１，１２の端部３５，３６から形成されている。両端部１７では、表裏面シート１１，１２の端部３５，３６が互いに重なり合った状態で、それらシート１１，１２の内面どうしが固定されている。両端部１７には、胴周り開口２０に沿って横方向へ延びる複数条の紐状の胴周り用弾性要素３７が収縮可能に取り付けられている。具体的には、胴周り用弾性要素３７は、表面シート１１と裏面シート１２との間に介在し、それらシート１１，１２の内面に接合されている。シート１１，１２に対する胴周り用弾性要素３７の接合時には弾性要素３７が所定倍率に伸長され、接合後には弾性要素３７の伸長が解かれる。【００１８】
両側部１８は、吸液性要素１３の側縁３８から横方向外方へ延びる表裏面シート１１，１２の側部３９，４０から形成されている。両側部１８では、表裏面シート１１，１２の側部３９，４０が互いに重なり合った状態で、それらシート１１，１２の内面どうしが固定されている。両側部１８には、実質的に脚周り開口２１の湾曲に沿って延びる複数条の紐状の脚周り用弾性要素４１が収縮可能に取り付けられている。具体的には、脚周り用弾性要素４１は、表面シート１１と裏面シート１２との間に介在し、それらシート１１，１２の内面に接合されている。シート１１，１２に対する脚周り用弾性要素４１の接合時には弾性要素４１が所定倍率に伸長され、接合後には弾性部材４１の伸長が解かれる。【００１９】
脚周り用弾性要素４１は、股下域１５の側に位置する前胴周り域１４の側部１８ａの内端部１８ｃ近傍から股下域１５の前半分２４に延びる脚周り第１弾性要素４２と、股下域１５の側に位置する後胴周り域１６の側部１８ｂの内端部１８ｄ近傍から股下域１５の後半分２５を通って前半分２４に延びる脚周り第２弾性要素４３とから構成されている。第１弾性要素４２は、前胴周り域１４の端部17へ向かって凸状に湾曲しているが、横方向中心線２２と実質的に並行するように横方向へ延びていてもよい。前半分２４に延びる第１弾性要素４２の内端部４４は、吸液性要素１３の側縁３８の内側に延出して吸液性要素１３に重なっている。第２弾性要素４３は、横中心線２２と略直交するように延び、後胴周り域１６から股下域１５に向かうにつれて縦中心線２３へ次第に接近している。第２弾性要素４３の股下域１５に位置する内端部４５は、吸液性要素１３の側縁３８の外側に位置し、吸液性要素１３とは重ならない。第１および第２弾性要素４２，４３は、股下域１５の前半分２４の縦方向中央部には存在しない。
【００２０】
物品１０を着用するには、胴周り開口２０から脚周り開口２１へ着用者の両脚を通した後、物品１０を着用者の胴部に引き上げる。物品１０では、その着用中に第１弾性要素４２が横方向へ伸長され、第１弾性要素４２の収縮力が前胴周り域１４と股下域１５の前半分２４とに延びる吸液性要素１３を着用者の肌に押し当てるように作用する。物品１０では、その着用中に第２弾性要素４３が横方向中心線２２と実質的に交差する方向へ、具体的には実質的に縦方向へ伸長され、第２弾性要素４３の収縮力が股下域１５の後半分２５と後胴周り域１６とを物品１０の端部１７に向かって引き上げるように作用する。【００２１】
物品１０は、その着用時に第１弾性要素４２の収縮力によって吸液性要素１３が着用者の肌に押し当てられるから、前胴周り域１４と股下域１５の前半分２４とに延びる吸液性要素１３を着用者の肌に密着させることができる。物品１０は、排泄された尿を吸液性要素１３に確実に吸収保持させることができ、物品１０の着用中における尿の漏れを防ぐことができる。物品１０は、その着用中に第２弾性要素４３の収縮力によって股下域１５の後半分２５と後胴周り域１６とが端部１７に向かって吊り上げられるから、着用中における着用位置からの物品１０のずれ下がりを防ぐことができる。物品１０は、第１および第２弾性要素４２，４３が股下域１５の前半分２４の縦方向中央部には存在しないから、それら弾性要素４２，４３が吸液性要素１３を連続的に横切る場合と比較し、弾性要素４２，４３の収縮力によって吸液性要素１３に不規則な多数の皺が生じることはない。物品１０は、股下域１５に延びる吸液性要素１３の液吸収機能が低下することはなく、股下域１５において排泄物を吸液性要素１３に十分に吸収保持させることができる。【００２２】
図５〜８を参照すると、物品５０は、主として、物品１０が基本的に透液性表面シート１１と、不透液性裏面シート１２と吸液性要素１３とから構成されるのに対して、物品５０が不透液性第１裏面シート５１と、第１裏面シート５１の内面に配置されたインナーパネル５２とから構成されている点において物品１０と異なっている。第１裏面シート５１は、内外面シート５１Ａ，５１Ｂとから構成され、インナーパネル５２は、透液性表面シート５２Ａと、不透液性第２裏面シート５２Ｂと、これらの間に介在する吸液性要素５２Ｃとから構成されている。【００２３】
胴周り及び脚周り弾性要素３７，４１は、第１裏面シート５１の内外面シート５１Ａ，５１Ｂの間に固着されている。内外面シート５１Ａ，５１Ｂは、疎水性繊維の複合不織布から形成されている。インナーパネル５２では、第２裏面シート５２Ｂが第１裏面シート５１の内面に固着されている。インナーパネル５２は、一対の障壁シート５３を含んでいる。障壁シート５３は、横方向に対向離間しインナーパネル５２の横方向に対向する側部に取り付けられている。障壁シート５３は、付根部５３Ａがインナーパネル５２の横方向に対向する側部に固定された付根部５３Ａと、遠位部５３Ｂの最上縁に固定された弾性要素５３Ｃで弾性化された遠位部５３Ｂとを含んでいる。
【図１】
0004950025.tif 000002
【図２】
0004950025.tif 000003
【図３】
0004950025.tif 000004
【図４】
0004950025.tif 000005
【図５】
0004950025.tif 000006
【図６】
0004950025.tif 000007
【図７】
0004950025.tif 000008
【図８】
0004950025.tif 000009